(57)【要約】【課題】周側枠内に内容器を装着する形態の包装用容器において、内容器を歪無くかつ確実に装着することができる包装用容器およびその製造方法を提供すること。【解決手段】周側枠の段部を内容器側に開放した略コ字状凹部にて形成し、内容器の周縁は、水平部と、水平部に続く先端側を斜め下方に向けた傾斜部、若しくは先端側を下方に向けた垂下部に形成し、この傾斜部先端若しくは垂下部を上記段部の奥壁に当接させた状態に配置し、少なくとも傾斜部の下面側若しくは垂下部の内側と段部との間に接着剤を配してなることを特徴とする包装用容器およびその製造方法。【選択図】　　　　図２
2004083089.tif 000002
【特許請求の範囲】
【請求項１】
側壁となる周側枠と物品を収容する内容器とからなり、周側枠の内側に形成された段部に対して内容器の端部を係止させる構造の包装用容器において、周側枠の段部を内容器側に開放した略コ字状凹部にて形成し、内容器の周縁は、水平部と、水平部に続く先端側を斜め下方に向けた傾斜部、若しくは先端側を下方に向けた垂下部に形成し、この傾斜部先端若しくは垂下部を上記段部の奥壁に当接させた状態に配置し、少なくとも傾斜部の下面側若しくは垂下部の内側と段部との間に接着剤を配してなることを特徴とする包装用容器。
【請求項２】
側壁となる周側枠と物品を収容する内容器とからなり、周側枠の内側に形成された段部に対して内容器の端部を係止させる構造の包装用容器において、周側枠の段部を内容器側に開放した略コ字状凹部にて形成し、内容器の端部を水平部と、水平部に続く先端側を斜め下方に向けた傾斜部、若しくは先端側を下方に向けた垂下部に形成し、上記段部の下方寄りのみに接着剤を注入し、上記内容器の傾斜部若しくは垂下部と水平部を接着剤から離反した状態で段部に挿入し、次いで接着剤側に移動させて傾斜部若しくは垂下部を接着剤に当接させ、接着剤の固化によって少なくとも傾斜部若しくは垂下部を固定することを特徴とする包装用容器の製造方法。
【請求項３】
側壁となる周側枠と物品を収容する内容器とからなり、周側枠の内側に形成された段部に対して内容器の端部を係止させる構造の包装用容器において、周側枠の段部を内容器側に開放した略コ字状凹部にて形成し、内容器の端部を接着剤を介して段部に固定する構成とし、上記内容器の端部のうち、接着剤と接触する部分を凹凸形状として接着剤に対する接触面積を増大させた構造としていることを特徴とする包装用容器。
【請求項４】
上記内容器端部の凹凸形状は、波板状である請求項３記載の包装用容器。
【請求項５】
上記内容器端部の凹凸形状は、上下面にそれぞれ突出した凸部である請求項３記載の包装用容器。
【発明の詳細な説明】
【０００１】
【発明の属する技術分野】
この発明は、側壁となる周側枠と物品を収容する内容器とからなり、周側枠の内側に形成された段部に対して内容器の端部を係止させる構造の包装用容器に関する。
【０００２】
【従来の技術及び発明が解決しようとする課題】
側壁となる周側枠と物品を収容する内容器とからなり、周側枠の内側に形成された段部に対して内容器の端部を係止させる構造の包装用容器で従来のものは、図１０，図１１に示すように、周側枠９１の段部９２が内側からコ字状に形成され、この段部９２に内容器９３の水平端部９３ａが挿入されていると共に、水平端部９３ａの上下に接着剤９４が充填された状態となっている。水平端部９３ａの内側には起立部９３ｃが形成され、起立部９３ｃの外面と周側枠９１の内面とが通常接着状態となっており、起立部９３ｃの上部には、蓋（図示せず）を外嵌状態に装着することができるものである。
【０００３】
この包装用容器の製造方法としては、周側枠９１に形成された段部９２に対して接着剤９４を充填し、しかる後、接着剤９４の中程に内容器９３の端部９３ａを挿入し、接着剤９４の固化によって内容器９３が固定されて当該包装用容器が製造されていた。
【０００４】
しかしながら、上記包装用容器では、周側枠９１の段部９２に予め接着剤９４が充填され、この接着剤９４に対して内容器９３の端部９３ａが挿入されるので、端部９３ａと段部９２の奥壁との間に挟まった接着剤９４が障害となって内容器９３の端部９３ａが段部９２の奥壁まで到達しないという問題点がある。このため、挟まった接着剤９４の厚み分だけ内容器９３が内側に押された状態となるため、内容器９３が変形して歪を生じることになり包装用容器が不良品となるという問題点があった。
【０００５】
また、内容器９３が変形すると、外嵌合した蓋との間に隙間が生ずることとなり、蓋の内側に付着した水滴等が内容器側に流れ出るため、商品を収納して展示販売を行う際に見栄えが悪くなるという欠点もあった。
【０００６】
さらに、上記包装用容器は、内容器９３の端部９３ａが水平かつ横方向に直線状に形成されているので、接着剤９４との接着力が劣り、内容器９３がぐらつき易いという欠点もあった。
【０００７】
そこで、この発明は、周側枠内に内容器を装着する形態の包装用容器において、内容器を歪無くかつ確実に装着することができる包装用容器およびその製造方法を提供することを目的としている。
【０００８】
【課題を解決するための手段及び発明の効果】
上記目的を達成するため、この発明は、側壁となる周側枠と物品を収容する内容器とからなり、周側枠の内側に形成された段部に対して内容器の端部を係止させる構造の包装用容器において、周側枠の段部を内容器側に開放した略コ字状凹部にて形成し、内容器の周縁は、水平部と、水平部に続く先端側を斜め下方に向けた傾斜部、若しくは先端側を下方に向けた垂下部に形成し、この傾斜部先端若しくは垂下部を上記段部の奥壁に当接させた状態に配置し、少なくとも傾斜部の下面側若しくは垂下部の内側と段部との間に接着剤を配してなることを特徴としている。
【０００９】
上記構成の包装用容器では、内容器の端部を周側枠段部の奥壁に確実に当接させることができ、奥壁と内容器端部との間に接着剤が挟まれる虞を解消することができる。また、内容器の端部形状を水平部に続く先端側が下方に向けた傾斜部、若しくは先端側を下方に向けた垂下部としているため、当該傾斜部若しくは垂下部を固化した接着剤に対して係止状態とすることができ、内容器を確実に固定することができる。このため、内容器が変形して歪みを生ずることが無くなると共に、内容器を確実に固定することができ、不良品の発生を抑えることができる。
【００１０】
また、この包装用容器の製造方法は、周側枠の段部を内容器側に開放した略コ字状凹部にて形成し、内容器の端部を水平部と、水平部に続く先端側を斜め下方に向けた傾斜部、若しくは先端側を下方に向けた垂下部に形成し、上記段部の下方寄りのみに接着剤を注入し、上記内容器の傾斜部若しくは垂下部と水平部を接着剤から離反した状態で段部に挿入し、次いで接着剤側に移動させて傾斜部若しくは垂下部を接着剤に当接させ、接着剤の固化によって少なくとも傾斜部若しくは垂下部を固定することを特徴としている。
【００１１】
この包装用容器の製造方法では、周側枠の段部に対して、内容器の傾斜部若しくは垂下部を接着剤から離反させた状態で挿入することができるので、内容器の傾斜部若しくは垂下部を周側枠の段部の奥壁に確実に当接させることができ、次いで接着剤側に移動させることにより、内容器の端部を接着剤に対して確実に接着させることができる。したがって、内容器を所定の位置に確実に挿入することができると共に、内容器の傾斜部若しくは垂下部を固化した接着剤に対して係止状態とすることができ、内容器の周縁を確実に接着することができる。
【００１２】
請求項３記載の包装用容器は、周側枠の段部を内容器側に開放した略コ字状凹部にて形成し、内容器の端部を接着剤を介して段部に固定する構成とし、上記内容器の端部のうち、接着剤と接触する部分を凹凸形状として接着剤に対する接触面積を増大させた構造としていることを特徴としており、上記凹凸形状は、波板状であってもよく、上下面にそれぞれ突出した凸部であってもよい。
【００１３】
上記構成の包装用容器では、内容器端部と接着剤との接触面積を増大させることができるので、接着力を強くすることができるので、ぐらつくことなく確実に内容器を固定することができる。
【００１４】
【発明の実施の形態】
次いで、この発明の実施の形態を説明する。
【００１５】
図１は、この発明の実施の形態を示す包装用容器の一部欠載斜視図、図２は、上記包装容器の部分断面図である。
【００１６】
この包装用容器１は、この実施の形態では、周壁を構成する周側枠１０が方形で、この内側に内容器２０を設けており、内容器２０の周縁２１を、周側枠の段部１１に装着する形態のものであり、蓋４０を内容器２０に対して嵌合状態としていると共に、周側枠１０に対して被蓋させているものである。
【００１７】
周側枠１０は、４つの板状体の端部を突き合わせて形成したり、合成樹脂材料を使用して周側枠１０を一体成型したりすることができるものである。この周側枠１０の内側には、内容器２０側に開放した略コ字状凹部にて形成した段部１１を設けており、当該段部１１によって内容器２０を支持する構成としている。
【００１８】
内容器２０は、内部が物品の収容部２２となっており、この側壁の周縁２１は、水平部２１ａと水平部２１ａの外側を斜め下方に形成した傾斜部２１ｂとによって構成している。傾斜部２１ｂの上下方向の高さとしては、上記段部１１の高さの約半分程度となるように形成し、水平部２１ａの長さとしては、傾斜部２１ｂの先端を段部１１の奥壁に当接させた状態で水平部２１ａの内側の起立部２１ｃが周側枠１０の内面に当接する程度の長さに形成している。
【００１９】
そして、水平部２１ａおよび傾斜部２１ｂと段部１１の間には接着剤３０を設けている。接着剤３０は、例えばホットメルト型の接着剤等を用いることができる。
【００２０】
この包装用容器１の製造方法は、周壁となる周側枠１０を作成し、段部１１を形成する。周側枠１０が合成樹脂材料等の場合には段部１１も一体に形成することができる。そして、図３に示すように、上記段部１１の内側下方に接着剤３０を入れ、次いで、内容器２０の対向する周縁２１間を狭めるように寄せ、この状態で周側枠１０内に位置させた後、上記周縁２１を段部１１の上方寄りに位置を合わせ、しかる後、狭めた周縁２１を水平方向外側へ拡げ、段部１１の奥壁に傾斜部２１ｂの先端を当て、さらに、傾斜部２１ｂを奥壁に当てた状態で下方へずらせて周縁２１を接着剤３０に押圧して両者を密着させ、接着剤３０の固化により段部１１内に周縁２１を固定することができる。
【００２１】
上記実施の形態の包装用容器１によれば、周側枠１０の段部１１内に内容器２０の端部２１を所定の位置に確実に固定することができるので、内容器２０の変形を防止して歪の無い包装用容器１を提供することができる。
【００２２】
また、内容器２０の周縁２１のうちの先端側を斜め下方に形成した傾斜部２１ｂとしているので、この傾斜部２１ｂが接着剤３０に対して係止状態となっており、内容器２０の周縁２１を所定の位置に確実に固定することができる。したがって、内容器２０の変形を防止することができると共に、内容器２０が変形しないので、蓋４０に対する嵌合を確実なものとすることができる。
【００２３】
内容器２０の周縁２１の形状としては、図４に示すように、先端側を下方に向けた垂下部２１ｄとして形成することもできる。垂下部２１ｄとした場合は、段部１１への挿入時は垂下部２１ｄの外側を奥壁に当接させて下げればよい。また、接着剤３０は、垂下部２１ｄの内側と段部１１との間に配することで、上記の実施の態様と同様の作用効果を奏するものである。
【００２４】
図５はこの発明の他の実施の形態を示す内容器の要部の斜視図、図５はその側面図である。
【００２５】
この実施の態様の内容器２５は、周縁２６の水平部２６ａに長手方向に凹凸となった波型形状２６ｂとして形成しており、水平部２６ａの先端側に傾斜部２６ｃを形成している。この実施の態様の内容器２５についても上記実施の態様のものと同様に製造することができ、特に、この実施態様の内容器２５では、接着剤３０に対する接触面積を増大させることができ、確実に接着することができる。
【００２６】
なお、上記水平部２６ａの形状としては、波型形状のほか、図７、図８に示すように、内容器２７の周縁２８の水平部２８ａに散在させて形成した凸部２８ｂによって構成することもでき、接着剤３０に対する接触面積を増大させる形状のものであれば、他の構成のものも採用できる。
【００２７】
凹凸形状は、上記水平部２６ａ，２８ａに限らず、傾斜部２６ｃ，２８ｃに形成することもできる。
【００２８】
水平部２６ａ，２８ａと接着剤３０との接着力が増大した結果接着強度が充分で、内容器２５，２７の固定が確実であれば、水平部２６ａ，２８ａの先端の傾斜部２６ｃ，２８ｃを省略することもできる。
【００２９】
さらに、接着剤３０は、水平部２６ａ，２８ａの下側にのみ設けた例を示したが、図９に示すように、傾斜部２６ｃ，２８ｃや水平部２６ａ，２８ａの上側に設けてもよい。この場合、上側の接着剤は水平部２６ａ，２８ａを段部１１に挿入後注入することが好ましい。
【００３０】
なお、周側枠１０の段部１１の形状としては、略コ字状に形成した例を示したが、凹部であって、傾斜部の端部、若しくは垂下部を奥壁に沿って下げることができる形状であれば、特にコ字状に限定するものでは無い。
【図面の簡単な説明】
【図１】この発明の実施の形態を示す包装用容器の一部欠載斜視図である。
【図２】上記実施形態の包装用容器の部分断面図である。
【図３】この発明の実施の形態を示す包装用容器の製造工程を説明する断面図である。
【図４】内容器の周縁の他の実施形態を示す断面図である。
【図５】この発明の他の実施形態の内容器の要部斜視図である。
【図６】上記実施形態の内容器の側面図である。
【図７】この発明のさらに他の実施形態の内容器の要部斜視図である。
【図８】上記実施形態の内容器の側面図である。
【図９】接着剤を凹凸形状となった周縁の上側にも注入した状態を示す断面図である。
【図１０】従来例の内容器の斜視図である。
【図１１】従来例の包装用容器の要部断面図である。
【符号の説明】
１　　　包装用容器
１０　　周側枠
１１　　段部
２０，２５，２７　　内容器
２１，２６，２８　　周縁
２１ａ，２６ａ，２８ａ　　水平部
２１ｂ，２６ｃ，２８ｃ　　傾斜部
２６ｂ，２８ｂ　　　凹凸形状
２１ｄ　　垂下部
３０　　　接着剤
【図１】
2004083089.tif 000003
【図２】
2004083089.tif 000004
【図３】
2004083089.tif 000005
【図４】
2004083089.tif 000006
【図５】
2004083089.tif 000007
【図６】
2004083089.tif 000008
【図７】
2004083089.tif 000009
【図８】
2004083089.tif 000010
【図９】
2004083089.tif 000011
【図１０】
2004083089.tif 000012
【図１１】
2004083089.tif 000013